(57)【要約】【課題】  液晶の配向乱れを生じることなしに安定した透過率制御を可能とする調光装置及びこれを用いた撮像装置、並びにこれらの駆動方法を提供すること。【解決手段】  調光装置は、ＧＨセル１２と偏光板１１とからなり、ＧＨセル１２に入射する光の透過率を現透過率から目標透過率へ、少なくとも２段階に制御された駆動パルスによって変化させるパルス制御部６４を具備する調光装置、及びこの調光装置が撮像系の光路中に配されている撮像装置。【選択図】          図１
2010148122.tif 000002
【特許請求の範囲】
【請求項１】
液晶素子と、この液晶素子に入射する光の透過率を現透過率から目標透過率へ、少なくとも２段階に制御された駆動パルスによって変化させるパルス制御部とを具備する調光装置。
【請求項２】
前記駆動パルスのパルス電圧が少なくとも２段階に制御される、請求項１に記載した調光装置。
【請求項３】
前記駆動パルスのパルス幅が少なくとも２段階に制御される、請求項１に記載した調光装置。
【請求項４】
前記駆動パルスが、駆動回路部のクロックと同期して取り出される、請求項１に記載した調光装置。
【請求項５】
出射光の輝度情報が制御回路部にフィードバックされ、この制御回路部からの制御信号により、前記駆動回路部のクロックと同期して、前記駆動パルスが得られるようにした、請求項４に記載した調光装置。
【請求項６】
前記液晶素子はゲスト−ホスト型液晶素子である、請求項１に記載した調光装置。
【請求項７】
前記液晶素子のホスト材料は、誘電率異方性が負又は正のネガ型又はポジ型液晶である、請求項６に記載した調光装置。
【請求項８】
前記液晶素子のゲスト材料は、光吸収異方性が正又は負のポジ型又はネガ型の二色性染料分子からなる、請求項６に記載した調光装置。
【請求項９】
液晶素子と、この液晶素子に入射する光の透過率を現透過率から目標透過率へ、少なくとも２段階に制御された駆動パルスによって変化させるパルス制御部とを具備する調光装置が撮像系の光路中に配されている撮像装置。
【請求項１０】
前記駆動パルスのパルス電圧が少なくとも２段階に制御される、請求項９に記載した撮像装置。
【請求項１１】
前記駆動パルスのパルス幅が少なくとも２段階に制御される、請求項９に記載した撮像装置。
【請求項１２】
前記駆動パルスが、駆動回路部のクロックと同期して取り出される、請求項９に記載した撮像装置。
【請求項１３】
前記駆動回路部が、前記調光装置の光出射側に配された撮像素子の駆動回路部であり、前記撮像素子の出力信号が輝度情報として制御回路部にフィードバックされ、この制御回路部からの制御信号により、前記駆動回路部のクロックと同期して、前記駆動パルスが得られるようにした、請求項１２に記載した撮像装置。
【請求項１４】
前記液晶素子はゲスト−ホスト型液晶素子である、請求項９に記載した撮像装置。
【請求項１５】
前記液晶素子のホスト材料は、誘電率異方性が負又は正のネガ型又はポジ型液晶である、請求項１４に記載した撮像装置。
【請求項１６】
前記液晶素子のゲスト材料は、光吸収異方性が正又は負のポジ型又はネガ型の二色性染料分子からなる、請求項１４に記載した撮像装置。
【請求項１７】
液晶素子を駆動するに際し、前記液晶素子に入射する光の透過率を現透過率から目標透過率へ、少なくとも２段階に制御された駆動パルスによって変化させる、調光装置の駆動方法。
【請求項１８】
前記駆動パルスのパルス幅を少なくとも２段階に制御する、請求項１７に記載した調光装置の駆動方法。
【請求項１９】
液晶素子を撮像系の光路中に配した撮像装置を駆動するに際し、前記液晶素子に入射する光の透過率を現透過率から目標透過率へ、少なくとも２段階に制御された駆動パルスによって変化させる、撮像装置の駆動方法。
【請求項２０】
前記駆動パルスのパルス幅を少なくとも２段階に制御する、請求項１９に記載した撮像装置の駆動方法。
【発明の詳細な説明】
【技術分野】
【０００１】
本発明は、入射光の光量を調節して出射するための調光装置、及びこれを用いた撮像装置並びにこれらの駆動方法に関するものである。
【背景技術】
【０００２】
通常、液晶セルを用いる調光装置には、偏光板が使用される。この液晶セルには、例えばＴＮ（Twisted Nematic）型液晶セルやゲスト−ホスト型液晶セル（ＧＨ（Guest Host）セル）が用いられる。
【０００３】
図２８は、従来の調光装置の動作原理を示す概略図である。この調光装置は、主に偏光板１とＧＨセル２とで構成される。ＧＨセル２は、図示せぬ２枚のガラス基板の間に封入され、また動作電極や液晶配向膜も図示省略している（以下、同様）。ＧＨセル２には、液晶分子３と二色性染料分子４とが封入されている。二色性染料分子４は、光の吸収に異方性を有し、例えば分子長軸方向の光を吸収するポジ型（ｐ型）色素分子である。また、液晶分子３は、誘電率異方性が正のポジ型（正型）である。
【０００４】
図２８（ａ）は、電圧を印加していない（電圧無印加）時のＧＨセル２の状態を示す。入射光５は、偏光板１を透過することにより直線偏光にされる。図２０（ａ）では、この偏光方向と二色性染料分子４の分子長軸方向とが一致するので、光は、二色性染料分子４に吸収され、ＧＨセル２の透過率が低下する。
【０００５】
そして、図２８（ｂ）で示すように、ＧＨセル２に電圧印加を行なうと、二色性染料分子４の分子長軸方向は、直線偏光の偏光方向と直角になる。このため、光はＧＨセル２によりほとんど吸収されずに透過する。
【０００６】
なお、分子短軸方向の光を吸収するネガ型（ｎ型）の二色性染料分子を用いる場合は、上記ポジ型の二色性染料分子４の場合と逆になり、電圧無印加時には光が吸収されず、電圧印加時に光が吸収される。
【０００７】
図２８に示された調光装置では、電圧印加時と電圧無印加時との吸光度の比、即ち、光学濃度の比が約１０である。これは、偏光板１を使用せずにＧＨセルのみで構成される調光装置に比べて約２倍の光学濃度比を有する。
【発明の概要】
【発明が解決しようとする課題】
【０００８】
上記した従来の調光装置、特に誘電率異方性が負であるネガ型液晶の駆動においては、透過率を変化させる際に、大きなステップで変化させるが、このようなステップ応答（特に、透明時から遮光時の大きなステップ応答）時に液晶配向に乱れが生じ、これによって光学特性が不安定になってしまう。これは、後述するように、透過率の面内不均一化となって現れる。
【０００９】
即ち、電圧変化のステップ幅が大きいときには、過渡的な応答として、液晶分子の方位の異なる状態が発生し、この時間が、実用時間範囲に入ると、透過率の面内不均一性として現れる。ある程度時間が経つと、液晶及び色素の再配向により回復するが、一部回復しない場合もある。
【００１０】
本発明は、上記の如き事情を考慮してなされたものであり、その目的は、液晶配向に乱れを生じることなしに安定した透過率制御を可能とする調光装置及びこれを用いた撮像装置、並びにこれらの駆動方法を提供することにある。
【課題を解決するための手段】
【００１１】
即ち、本発明は、液晶素子と、この液晶素子に入射する光の透過率を現透過率から目標透過率へ、少なくとも２段階に制御された駆動パルスによって変化させるパルス制御部とを具備する調光装置、及びこの調光装置が撮像系の光路中に配されている撮像装置に係るものである。
【００１２】
本発明の調光装置及び撮像装置によれば、調光用の液晶素子の駆動パルスを少なくとも２段階に（例えば、低電圧から高電圧へ２段階に）制御しているので、電圧を急峻に変化させる従来例に比べて、応答の準備段階として液晶の配向乱れが生じないパルスを印加して液晶をある程度傾斜させてから、所望の透過率を達成するためのパルスを印加でき、面内で均一な状態で透過率を制御できる。
【００１３】
また、本発明は、本発明の調光装置及び撮像装置を制御性良く駆動する方法として、液晶素子を駆動するに際し、前記液晶素子に入射する光の透過率を現透過率から目標透過率へ、少なくとも２段階に制御された駆動パルスによって変化させる、調光装置及び撮像装置の駆動方法も提供するものである。
【発明の効果】
【００１４】
本発明の調光装置及び撮像装置によれば、調光用の液晶素子の駆動パルスを少なくとも２段階に（例えば、低電圧から高電圧へ２段階に）制御しているので、電圧を急峻に変化させる従来例に比べて、応答の準備段階として液晶の配向乱れ生じないパルスを印加して液晶をある程度傾斜させてから、所望の透過率を達成するためのパルスを印加でき、面内で均一な状態で透過率を制御できる。
【図面の簡単な説明】
【００１５】
【図１】本発明の実施の形態による調光装置の光透過率と駆動パルスのパルス電圧との関係を示すグラフ、及び駆動パルス波形図である。
【図２】同、調光装置の光透過率と駆動パルスのパルス電圧との関係を示すグラフ、及び駆動波形図である。
【図３】同、調光装置の液晶ダイレクタの配向過程を比較して示す模式図である。
【図４】比較用の調光装置の光透過率と印加電圧との関係を示すグラフである。
【図５】同、調光装置の透過率と印加電圧との関係における配向乱れを説明するためのグラフである。
【図６】本発明の実施の形態による調光装置の動作原理を示す概略図である。
【図７】同、ネガ型液晶を用いた調光装置の光透過率と印加電圧との関係を０〜１０Ｖ（Ａ）及び０〜２０Ｖ（Ｂ）の範囲で示すグラフである。
【図８】同、ポジ型液晶を用いた調光装置の光透過率と印加電圧との関係を０〜１０Ｖ（Ａ）及び０〜２０Ｖ（Ｂ）の範囲で示すグラフである。
【図９】同、調光装置の各種駆動パルスを示す波形図である。
【図１０】同、調光装置の光透過率と駆動パルスのパルス幅との関係を示すグラフ、及び駆動パルス波形図である。
【図１１】比較用の調光装置の光透過率とパルス幅変調駆動時のパルス電圧との関係を示すグラフである。
【図１２】本発明の実施の形態による調光装置の光透過率と駆動パルスのパルス幅との関係を示すグラフ、及び駆動パルス波形図である。
【図１３】同、調光装置の駆動パルスの波形と透過率フリッカとの関係を種々のパルス休止時間毎に示す波形図である。
【図１４】同、調光装置の駆動パルスの各種変調による波形図である。
【図１５】同、調光装置のネガ型液晶系の緩和過程を説明するためのグラフ及び表である。
【図１６】同、ネガ型液晶を用いた調光装置の応答特性を示すグラフである。
【図１７】同、調光装置の駆動パルスのパルス幅変調及びパルス電圧変調における光透過率と電圧との関係を比較して示すグラフである。
【図１８】同、調光装置の駆動パルスのパルス幅変調及びパルス密度変調における光透過率とデューティ比との関係を比較して示すグラフである。
【図１９】同、調光装置の駆動パルスのパルス幅変調における各種パルス波形図とその光透過率特性図である。
【図２０】同、調光装置の駆動パルスの正及び負極性のパルス数による光透過率特性図である。
【図２１】同、ポジ型液晶を用いた調光装置の駆動パルスのパルス電圧変調及びパルス幅変調における透過光強度の変化を比較して示すグラフである。
【図２２】同、調光装置の概略側面図である。
【図２３】同、調光装置の機械式アイリスの正面図である。
【図２４】同、調光装置の有効光路付近の機械式アイリスの動作を示す概略部分拡大図である。
【図２５】同、調光装置を組み込んだカメラシステムの概略断面図である。
【図２６】同、カメラシステムにおける光透過率制御のアルゴリズムである。
【図２７】同、駆動回路を含むカメラシステムのブロック図である。
【図２８】従来の調光装置の動作原理を示す概略図である。
【発明を実施するための形態】
【００１６】
本発明の調光装置及び撮像装置、並びにこれらの駆動方法においては、前記駆動パルスのパルス電圧又はパルス幅が少なくとも２段階に制御されることが望ましい。
【００１７】
また、前記駆動パルスが、駆動回路部のクロックと同期して取り出されるのがよい。
【００１８】
そして、出射光の輝度情報が制御回路部にフィードバックされ、この制御回路部からの制御信号により、前記駆動回路部のクロックと同期して、前記駆動パルスが得られるようにし、或いは、前記駆動回路部が、前記調光装置の光出射側に配された撮像素子の駆動回路部であり、前記撮像素子の出力信号が輝度情報として制御回路部にフィードバックされ、この制御回路部からの制御信号により、前記駆動回路部のクロックと同期して、前記駆動パルスが得られるようにしてよい。
【００１９】
なお、本発明の調光装置及び撮像装置は、前記液晶素子の駆動電極が少なくとも有効光透過部の全域に亘って形成されている場合に好適であり、そのように形成された駆動電極への駆動パルスの制御によって有効光路幅全体に亘って透過率の一括制御を高精度に行うことができる。
【００２０】
また、前記液晶素子はゲスト−ホスト型液晶素子であること、即ち、前記液晶素子のホスト材料は、誘電率異方性が負又は正のネガ型又はポジ型液晶であり、また、前記液晶素子のゲスト材料は、光吸収異方性が正又は負のポジ型又はネガ型の二色性染料分子からなるのがよい。
【００２１】
特にホスト材料にネガ型（即ち、誘電率異方性（Δε）が負）の液晶を用いると、ポジ型（即ち、Δεが正）の液晶を用いる場合に比べて光透過（特に透明）時の光透過率が向上し、撮像光学系中にそのまま位置固定しておくことができる。
【００２２】
そして、この液晶素子への入射光の光路中に偏光板を配すると、電圧無印加時と電圧印加時の吸光度の比（即ち、光学濃度の比）が向上し、調光装置のコントラスト比が大きくなり、明るい場所から暗い場所までにおいて、調光を正常に行うことができる。
【００２３】
そして、前記偏光板は、機械式アイリスの可動部などに配置されることにより前記光路に対して出し入れ可能とされることが望ましい。
【００２４】
以下、本発明を液晶ＮＤ（neutral deusity)フィルタ及びカメラシステムに適用した好ましい実施の形態を図面の参照下に説明する。
【００２５】
［調光装置の光透過率とその光学配置］
まず、図２８に示したゲスト−ホスト型液晶セル（ＧＨセル）２において、ホスト材料３として、誘電率異方性（Δε）が正のポジ型の汎用液晶であるＭｅｒｃｋ社製のＭＬＣ−６８４９を用い、ゲスト材料４には二色性を有する光吸収異方性（ΔＡ）が正のポジ型染料であるＢＤＨ社製のＤ５を用い、偏光板１をＧＨセル２の入射側に配し、矩形波を駆動波形で動作電圧印加時の光透過率の変化を計測した。
【００２６】
この結果、図８に示すように、動作電圧の印加に伴って、可視光の平均光透過率（空気中、液晶セルに加えて偏光板を足したときの透過率を参照（＝１００％）とした：以下、同様。）が増加するが、電圧を２０Ｖにまで上昇させると最大透過率は６０％程度となり、しかも光透過率の変化が緩やかであることが分かった。
【００２７】
これは、ポジ型のホスト材料を用いる場合、電圧無印加時に液晶セルの液晶配向膜との界面での液晶分子の相互作用（interaction)が強いため、電圧を印加してもダイレクタの向きが変化しない（或いは、変化し難い）液晶分子が残ってしまうからであると考えられる。
【００２８】
これに対し、図６に示すように、ゲスト−ホスト型液晶セル（ＧＨセル）１２において、ホスト材料１３として、誘電率異方性（Δε）が負のネガ型の液晶であるＭｅｒｃｋ社製のＭＬＣ−６６０８を用い、ゲスト材料４には二色性を有する上記と同じポジ型染料であるＢＤＨ社製のＤ５を用い、偏光板１１をＧＨセル１２の入射側に配し、矩形波を駆動波形で動作電圧印加時の光透過率の変化を計測した。この場合の光透過率は、図２８の場合と逆であり、電圧無印加時に透過するが、電圧印加に伴って非透過となる。
【００２９】
この結果、図７に示すように、動作電圧の印加に伴って、可視光の平均光透過率（空気中）が最大透過率約７５％から数％にまで減少し、しかも光透過率の変化が急峻となることが分かった。
【００３０】
これは、ネガ型のホスト材料を用いる場合、電圧無印加時に液晶セルの液晶配向膜との界面での液晶分子の相互作用（interaction)が非常に弱いため、電圧無印加時に光が透過し易く、また電圧印加と共に液晶分子のダイレクタの向きが変化し易くなるからであると考えられる。
【００３１】
このように、ネガ型のホスト材料を用いるＧＨセル１２では、光透過率が向上し、光透過率の高い領域での設計が可能となる。また、光透過率の変化が急峻であるため、動作電圧による光透過率の制御を特有に行える調光装置を提供できる。
【００３２】
上記のＧＨセルにおいては、ホスト材料とゲスト材料の組み合わせは種々であってよく、ネガ型（Δε＜０）−ポジ型（ΔＡ＞０）、ネガ型（Δε＜０）−ネガ型（ΔＡ＜０）、ポジ型（Δε＞０）−ポジ型（ΔＡ＞０）、ポジ型（Δε＞０）−ネガ型（ΔＡ＜０）のいずれでもよい。
【００３３】
また、上記のＧＨセルでは、駆動電極、例えばＩＴＯ（indium tin oxide：インジウム酸化物にスズをドープしたもの）電極は基板面上にべた付けされているが、これを分割してセグメント方式又はマトリクス方式としてもよい。
【００３４】
なお、本発明に基づく調光装置において、使用可能な誘電率異方性（Δε）が負のネガ型のホスト材料は、下記に例示することができる。但し、実際の使用の場合は、実使用温度範囲でネマチック性を示すように、下記の化合物から選択し、ブレンドした組成物を用いる（以下、同様）。
【００３５】
【化１】
2010148122.tif 000003
【００３６】
【化２】
2010148122.tif 000004
【００３７】
【化３】
2010148122.tif 000005
【００３８】
【化４】
2010148122.tif 000006
【００３９】
【化５】
2010148122.tif 000007
【００４０】
【化６】
2010148122.tif 000008
【００４１】
【化７】
2010148122.tif 000009
【００４２】
【数１】
2010148122.tif 000010
【００４３】
【数２】
2010148122.tif 000011
【００４４】
【数３】
2010148122.tif 000012
【００４５】
【数４】
2010148122.tif 000013
【００４６】
また、本発明に基づく調光装置において、使用可能な誘電率異方性が正のポジ型のホスト材料としては、下記に例示することができる。
【００４７】
＜例示化合物＞
【００４８】
【化８】
2010148122.tif 000014
【００４９】
【化９】
2010148122.tif 000015
【００５０】
【化１０】
2010148122.tif 000016
【００５１】
【化１１】
2010148122.tif 000017
【００５２】
【化１２】
2010148122.tif 000018
【００５３】
【化１３】
2010148122.tif 000019
【００５４】
【化１４】
2010148122.tif 000020
【００５５】
【化１５】
2010148122.tif 000021
【００５６】
【化１６】
2010148122.tif 000022
【００５７】
【化１７】
2010148122.tif 000023
【００５８】
【化１８】
2010148122.tif 000024
【００５９】
【化１９】
2010148122.tif 000025
【００６０】
【化２０】
2010148122.tif 000026
【００６１】
【化２１】
2010148122.tif 000027
【００６２】
【化２２】
2010148122.tif 000028
【００６３】
＜商品名での例示１＞（いずれもＭｅｒｃｋ社製）
2010148122.tif 000029
2010148122.tif 000030
2010148122.tif 000031
2010148122.tif 000032
【００６４】
【数５】
2010148122.tif 000033
【００６５】
【数６】
2010148122.tif 000034
【００６６】
【数７】
2010148122.tif 000035
【００６７】
【数８】
2010148122.tif 000036
【００６８】
【数９】
2010148122.tif 000037
【００６９】
【数１０】
2010148122.tif 000038
【００７０】
【数１１】
2010148122.tif 000039
【００７１】
【数１２】
2010148122.tif 000040
【００７２】
【数１３】
2010148122.tif 000041
【００７３】
【数１４】
2010148122.tif 000042
【００７４】
【数１５】
2010148122.tif 000043
【００７５】
【数１６】
2010148122.tif 000044
【００７６】
【数１７】
2010148122.tif 000045
【００７７】
【数１８】
2010148122.tif 000046
【００７８】
また、本発明に基づく調光装置において、使用可能な二色染料分子は、下記に例示することができる。
【００７９】
【化２３】
2010148122.tif 000047
【００８０】
【化２４】
2010148122.tif 000048
【００８１】
【化２５】
2010148122.tif 000049
【００８２】
［ラビングによる効果］
調光素子として、図６に示したものを用い、ガラス基板の表面に透明電極を付け、さらにその上面に液晶配向層を設けた両ガラス基板を対向させ、所定のギャップでセルを作製し、ゲスト−ホスト液晶を減圧下で注入した。ここでは、素子の駆動パルスとして交流の矩形波を用いた。
【００８３】
液晶配向層（図示省略）にラビングを施さないと、図３（Ａ）のように、電圧印加時に液晶が分子基板面に対して傾斜すると同時に、ガラス基板面に平行な面内の液晶及び色素の方位が乱れ、基板面内の透過率の不均一性が生じる。これを避けるために、公知技術として図３（Ｂ）のように、液晶配向層をラビングすることにより、液晶の傾く方向を予め規定して一様に傾斜させ、面内均一性を向上させている。
【００８４】
しかし、電圧変化のステップ幅が大きいとき、図３（Ｃ）のように、過渡的な応答として、方位の異なる状態が発生する。この時間が、実用時間範囲に入ると、透過率の面内不均一性として現れる。ある程度時間が経つと、液晶及び色素の再配向による回復するが、一部回復しない場合もある。
【００８５】
これを解決するために、図３（Ｄ）のように、準備段階として液晶配向乱れが生じない低電圧を印加して液晶をある程度傾斜させてから、所望の透過率を達成するための高電圧を印加すれば、面内で均一な状態で透過率を制御できることが判明した。
【００８６】
［１段階駆動時の透過率と配向乱れ（１）］
例えば、図５に示すように、後述のパルス幅変調（ＰＷＭ）やパルス電圧変調（ＰＨＭ）において、相当電圧０Ｖから１段階で透過率１５％以下を達成しようとすると、図３（Ｃ）で説明したように液晶及び色素の配向乱れを生ずることが分かった（但し、この場合、１５％以上の透過率では１段階でも配向乱れは生じない）。
【００８７】
これについて、パルス電圧変調の場合を例として図４に具体的に示すが、パルス電圧の大きさによって、透過率変化の状況が異なり、また高電圧ほど配向乱れが生じ易く、特に５Ｖ以上のとき（即ち、透過率が１５％以下となるとき）に生じ易いことが分かる。
【００８８】
［２段階駆動時の透過率変化（１）］
そこで、本発明に基づく交流パルスの電圧変調による２段階駆動の例を示す。図１（Ａ）は０Ｖ→１０Ｖのステップ変化をする場合に、先ず予備段階として４Ｖで９０ｍｓ印加し、次に１０Ｖ印加して応答させた場合である。これによれば、図４の如き不安定な透過率変化は見られず、安定した透過率変化が得られる。また、図１（Ｂ）は、４Ｖで１５ｍｓ印加し、その後に１０Ｖ印加して応答した場合である。この場合も、透過率変化が安定する。このように、自由に各段階のパルス時間幅は選べるが、速やかな応答には図１（Ｂ）の方がよい。
【００８９】
図２は、上記のうち、図１（Ｂ）の駆動波形と同様の駆動波形を詳細に示すものである。２段階駆動の各パルスとも、正電圧と負電圧とを交互にそれぞれ５００μｓずつ一定のパルス幅で繰り返すが、最初の４．５Ｖのパルスは１５回、次の１０Ｖのパルスは７５回繰り返して駆動する。この結果、駆動において、事前に５００μｓ、±４．５Ｖの電圧で１５ｍｓ又はそれ以上の時間印加すれば、５Ｖを越える電圧を印加しても配向乱れは生じないことが分かった。
【００９０】
このように、本発明に基づく２段階パルスの印加による駆動の結果、光透過率変化が所望のプロファイルとなり、透過率制御の精度が向上すると共に、調光素子の透過率の面内均一性が向上する。
【００９１】
この２段階駆動においては、予備的な電圧印加の時間幅、電圧は自由に規定でき、例えば図９（Ａ）〜（Ｅ）に示す各種パターンを選択できる。ステップは２段階に限らず、システムに応じて２段階以上の多段階にすることも可能である。さらに、後述するように、パルス幅変調のような、電圧一定でパルス幅のみを変化させる方法なども適用できる。
【００９２】
［１段階駆動時の透過率と配向乱れ（２）］
例えば図１１に示すように、パルス幅変調で相当電圧０Ｖから１段階で透過率１５％以下を達成しようとすると、図３（Ｃ）で説明したように、パルス電圧の大きさによって、透過率変化の状況が異なり、図１１（Ａ）のように５Ｖのときには配向乱れによる透過率変化の不安定化は生じないが、１０Ｖのときには、図１１（Ｂ）のように透過率の不安定化（異常応答）が生じ易いことが分かる。
【００９３】
［２段階駆動時の透過率変化（２）］
そこで、上記の配向乱れを防止するために、本発明に基づいて、特に高印加電圧下での駆動をパルス幅変調による２段階駆動とした。例えば、０Ｖ→１０Ｖの変化をする場合に、図１０に示すように、先ず予備段階として１０Ｖで２０μｓのパルス幅の正、負のパルスを１５ｍｓ印加し、その後に１０Ｖで１００μｓのパルス幅の正、負のパルスを印加して応答させた。この場合、透過率変化が図示したように安定となった。このようなパルス幅の異なるパルスの組み合わせは、上記以外でもよく、また２段階又はそれ以上としてよく、そのパルス電圧も種々であってよい。
【００９４】
［パルス幅変調について］
（１）矩形波基本駆動波形と調光装置のフリッカ
図６に示したように、例えばＧＨセル１２の駆動波形は矩形波であるが、台形波、正弦波のいずれでも駆動可能であり、両電極間の電位差に応じて液晶のダイレクタの傾きが変化し、光透過率が制御される。従って、通常はこの波高値（パルス電圧）により透過率制御を行う。
【００９５】
しかしながら、こうした波高値の制御は、基本的にはアナログ信号に置き換えて行うＤ／Ａ変換が必要であり、また、電圧を高精度に制御することは難しく、回路コスト増大の要因となる。
【００９６】
一方、ネマチック液晶材料の電気光学応答は速いものでもミリ秒であり、遅いものでは数１００ミリ秒にも及んでいる。ここで、本発明者は、このような応答特性を持った材料系に駆動パルス幅変調方式を適用する場合の周波数として、何が適当かを検討した。
【００９７】
例えば、図１３に示したように０Ｖ→５Ｖ→０Ｖ→−５Ｖ→０Ｖ……の順に各駆動パルスを印加した。パルス（特に休止パルス０Ｖ）の幅を変えることによる、透過率変動を観察した。
【００９８】
その結果、休止パルス期間が３００μｓ以上では、透過率にフリッカが見られ、光学的な安定性に欠けることが分かった。２００μｓ以下の休止期間では、透過率のフリッカが見られないことが分かった。
【００９９】
従って、この調光装置の場合、パルス幅変調による駆動時に、休止期間を２００μｓ以上にしないように設定すればよいことが分かる。液晶の種類が変わったり、環境温度により、液晶の応答速度は変わるため、使用条件内でフリッカのない設定を選択することが必要である。また、環境温度をフィードバックしてパルス幅を制御することも、安定な素子光学特性を得るためには有効である。
【０１００】
（２）パルス幅変調
上記した検討結果から、基本的なパルス発生周期を１００μｓとして、この基本周期内で、パルス幅（ＰＷ）を制御した。図１２はパルス波高値が５Ｖ及び１０Ｖと一定とした場合を示している。
【０１０１】
いずれの場合も、パルス幅の制御により透過率を容易に制御できた（印加電圧ゼロ時の偏光板を含めた場合の透過率を１００％とする）。これは、パルス電圧の幅に対応した電界エネルギーにより液晶分子のダイレクタの向きが変化し、配向制御されるためである。また、パルス波高値とパルス幅との組み合わせにより、自由に透過率が制御可能なことがわかる。このことは、最小クロック限界による階調制限も、電圧をデジタルに制御して下位ビットとし、上位ビットとしてパルス幅変調を付加することにより、階調制御の分解能が増大する（上位、下位ビットの設定は逆でも可能）。また、コストの面からも、調光素子を実装する周辺回路のクロックを加工して作られた波形を用いることにメリットがある。
【０１０２】
図１４には、パルス幅変調時の波形の２形態（Ａ）と（Ｂ）を示すが、（Ａ）の波形が基本周期の開始時にパルスを入れるのに対し、（Ｂ）では基本周期の開始時から一定の遅延時間後にパルスを印加する例であり、（Ａ）の場合と効果は同等である。このような遅延時間後のパルス印加は、基本周期毎に行ってもよいし、（Ａ）のような波形と任意に組み合わせてもよい。なお、駆動パルスは基本周期内に必要個数印加してよい。（Ｃ）には、パルスの数密度を変調するパルス密度変調を示す。
【０１０３】
図１５は、図６に示したＧＨセルの如く、ネガ型液晶をホスト材料に用いたときの液晶緩和過程を示す。これによれば、パルス電圧の大きさによって電圧印加→オフ後の緩和時間が変化し、高電圧印加時ほど緩和時間が長くなることが分かる。
【０１０４】
図１６には、図１５と同様の緩和過程において、調光素子の透過光強度（Ａ）とその変動（Ｂ）、（Ｃ）を示すが、緩和がリニアに生じる領域（０〜５ｍｓ）での変動を比較すると、次のことが判明した。
【０１０５】
１％以内の変動とするには、３００μｓ以下のオフ時間が必要。
２％以内の変動とするには、４２０μｓ以下のオフ時間が必要。
【０１０６】
この事実は、図１３に示したように透過率フリッカを無くすための条件に対応しており、２％以下の変動が許容されるという条件で上記基本周期を設定する（例えば１００μｓとする）ことができる。
【０１０７】
この２％以内の変動の意味は、現在使用している後述のＣＣＤの撮像スペックと同等であることを基準としている。
【０１０８】
ＣＣＤの撮像は、実際には、フィールド周期内に蓄積された受光量の平均となるため、通常動作時にはフリッカとしては現れることは少ないと予想されるが、透過率制御のダイナミックレンジは低下してしまう。また、シャッタ機能などを用いた場合に、シャッタの開放時間と光量の関係がリニアにならず、制御上問題となる。従って、上記した２％以内の変動量は望ましいものと考えられる。
【０１０９】
仮に、フィールド周期を超える基本周期を用いた場合には、フリッカとして撮像されるため、基本周期をフィールド周期内とすることは、パルス幅制御での限界基本周期となる。
【０１１０】
（３）パルス幅変調とパルス電圧変調の比較
図１７は、従来のパルス電圧変調（ＰＨＭ）とパルス幅変調（ＰＷＭ）との特性を比較したものである（この図の横軸は、電極間に印加されている電位差の絶対値の時間平均であり、これを相当電圧として表現した）。
【０１１１】
その結果、パルス幅変調の方が、しきい値電圧が低く、全体的に低電圧側にシフトするため、低電圧制御が可能で、消費電力の低減も図れる。また、透過率変化は比較的緩やかとなるため、電圧により透過率を制御し易く、階調性が向上する。
【０１１２】
このように、パルス幅変調は、まとめると次の利点がある。
（１）パルス幅変調の駆動により、低しきい値の特性を得ることができる。
（２）透過率レベルの階調数を多くとることができ、また高精度の透過率制御が可能である。
（３）Ｄ／Ａ変換しないため、回路コストを低減できる。
【０１１３】
（４）パルス幅変調とパルス密度変調
パルスの波高値（電圧）の大きさを変調する代わりにパルス密度を変調（ＰＤＭ）し、パルス幅変調（ＰＷＭ）と比較した。パルス密度変調とは、ある単位時間内に発生するパルスの数を可変することであり、ひとつのパルス幅は非常に短く、高周波成分を多く含んでいる。
【０１１４】
図１８に示すように、ＰＷＭとＰＤＭの駆動特性は互いに類似している。しかし、低消費電力を考えれば、パルス密度変調では単位時間当りの液晶セルへの充放電電流量は大きく、パルス幅変調のほうが有利であることが分かる。また、インピーダンス整合の観点からも、パルス幅変調の方が有利である。
【０１１５】
（５）パルス数による影響
パルス幅変調波形を用いて駆動する場合、電極間に印加される電位差の時間平均がほぼゼロとなるように駆動する（換言すれば、ＤＣ成分が０Ｖとなる）ことにより、調光素子内のイオンなどの分極の偏りをなくし、精度の高い透過率制御が可能となった。
【０１１６】
即ち、図１９に示すように、（Ａ）の駆動波形に対し、（Ｂ）のように正極性及び負極性をそれぞれ２パルスずつ交互に印加すると、正、負両極性のパルス数の時間平均が同一である場合に、常に同一の透過率駆動特性を得ることができた。
【０１１７】
また、（Ｃ）のように正、負のパルス数をｍ＝１，２，……と正の整数で変化させて測定したが、図示した透過率ｖｓパルス幅特性に変化が無かった。
【０１１８】
また、（Ｄ）のようにパルスの発生順位が異なっても、正と負のパルス数が同じであれば、同一特性を示した。さらに、パルスの時間幅を個々に変調した場合も、時間平均で等価であれば、問題ないことは予想できる。
【０１１９】
これに対し、正、負のパルス数が異なる場合（負極性パルスが正極性パルスよりもｋ倍大きい場合）には、ｋ＝１の時が対称駆動時の透過率であるが、ｋが大きくなって非対称性が増すと、図１２に示すように透過率は所定の透過率よりも大きくなり、制御性を困難にしている。これは、ｍの値には依存せず、ｋに対して同様の変動を示す。
【０１２０】
さらに、非対称の極性を瞬時に反転すると、透過率は一時的に低下し、数秒で直前の透過率に再び戻る（長周期のフリッカとして観察される）。この秒オーダの過度的変動は、時間平均でのバイアス電圧のために生じた液晶セル中の可動イオンの偏りに起因すると考えられる。
【０１２１】
以上の理由から、パルス数の非対称よりもパルス数の対称（正、負の両極性パルス数が同数）は安定した駆動には望ましい。
【０１２２】
［ポジ型液晶を用いた場合］
上述した例とは異なり、図６において、ホスト材料としてポジ型の液晶（Ｍｅｒｃｋ社製のＭＬＣ−６８４９）を用い、他は上述したものと同様にしてＧＨセルを作製した。
【０１２３】
この結果、図２１のように、基本周波数と同じ矩形波を電圧変調して印加した場合（Ａ）に比べて、パルス幅変調をした場合（Ｂ）には、透過光強度変化が比較的緩やかであるため、制御性、階調性が向上し、また（Ｃ）の比較からより低いしきい値で同等の透過光強度を得ることができる。
【０１２４】
［調光装置の具体例］
次に、上述したＧＨセルのうち、例えばＧＨセル１２を用いる調光装置の一例を図２２〜図２４について説明する。
【０１２５】
この調光装置２３は、図２２に示すように、ＧＨセル１２と偏光板１１ａとからなる。ＧＨセル１２は、図示せぬ２枚のガラス基板の間に封入される。ＧＨセル１２には、ネガ型の液晶分子（ホスト材料）とポジ型又はネガ型の二色性染料分子（ゲスト材料）とが封入されている。液晶分子は、例えば誘電率異方性が負であり、また二色性染料分子は、光の吸収に異方性を有し、例えば分子長軸方向の光を吸収するｐ型である。偏光板１１の光吸収軸は、ＧＨセルに電圧を印加したときの光吸収軸と直交させた。
【０１２６】
この調光装置２３は、例えばズームレンズのように複数のレンズで構成されるレンズ前群１５とレンズ後群１６との間に配置される。レンズ前群１５を透過した光は、偏光板１１を介して直線偏光にされた後、ＧＨセル１２に入射する。ＧＨセル１２を透過した光は、レンズ後群１６で集光され、撮像面１７に映像として映し出される。
【０１２７】
この調光装置２３を構成する偏光板１１は、ＧＨセル１２に入射する光の有効光路に対して出し入れ可能である。具体的には、偏光板１１を仮想線で示される位置に移動させることにより、光の有効光路の外へ出すことができる。この偏光板１１を出し入れする手段として、図２３に示す機械式アイリスが用いられてよい。
【０１２８】
この機械式アイリスは、一般にデジタルスチルカメラやビデオカメラ等に用いられる機械式絞り装置であり、主として２枚のアイリス羽根１８、１９と、アイリス羽根１８に貼付された偏光板１１とからなる。アイリス羽根１８、１９は、上下方向に移動させることができる。矢印２１で示される方向に、図示せぬ駆動モーターを用いてアイリス羽根１８、１９を相対的に移動させる。
【０１２９】
これにより、図２３で示すように、アイリス羽根１８、１９は部分的に重ねられ、この重なりが大きくなると、アイリス羽根１８、１９の中央付近に位置する有効光路２０上の開口部２２が偏光板１１により覆われる。
【０１３０】
図２４は、有効光路２０付近の機械式アイリスを示す部分拡大図である。アイリス羽根１８が下方に移動すると同時に、アイリス羽根１９が上方に移動する。これに伴って、図２４（ａ）に示すように、アイリス羽根１８に貼付された偏光板１１も有効光路２０の外へと移動する。逆に、アイリス羽根１８を上方に、またアイリス羽根１９を下方に移動させることにより、互いのアイリス羽根１８、１９が重なる。これに従って、図２４（ｂ）に示すように、偏光板１１は有効光路２０上に移動し、開口部２２を次第に覆う。アイリス羽根１８、１９は互いの重なりが大きくなると、図２４（ｃ）に示すように、偏光板１１は開口部２０を覆う。
【０１３１】
次に、この機械式アイリスを用いた調光装置２３の調光動作について説明する。
【０１３２】
図示せぬ被写体が明るくなるにつれて、図２４（ａ）で示したように、上方方向に開いたアイリス羽根１８、１９は、図示せぬモーターにより駆動され、重なり始める。これによって、アイリス羽根１８に貼付されている偏光板１１は、有効光路２０に入り始め、開口部２２の一部を覆う（図２４（ｂ））。
【０１３３】
このとき、ＧＨセル１２は光を吸収しない状態にある（なお、熱的揺らぎ、または表面反射などのため、ＧＨセル１２による若干の吸収はある）。このため、偏光板１１を通過した光と開口部２２を通過した光とは、ほぼ強度分布が同等となる。
【０１３４】
その後、偏光板１１は、完全に開口部２２を覆った状態になる（図２４（ｃ））。さらに、被写体の明るさが増す場合は、ＧＨセル１２への電圧を上昇し、ＧＨセル１２で光を吸収することにより調光を行う。
【０１３５】
これとは逆に、被写体が暗くなる場合は、まず、ＧＨセル１２への電圧を減少又は無印加とすることにより、ＧＨセル１２による光の吸収効果を無くする。さらに、被写体が暗くなった場合は、図示せぬモーターを駆動することにより、アイリス羽根１８を下方へ、またアイリス羽根１９を上方へ移動させる。こうして、偏光板１１を有効光路２０の外へ移動させる（図２４（ａ））。
【０１３６】
この実施の形態によれば、偏光板１１（透過率例えば４０％〜５０％）を光の有効光路２０から外に出すことができるので、偏光板１１に光が吸収されない。従って、調光装置の最大透過率を例えば２倍以上に高めることができる。具体的には、この調光装置を、従来の固定されて設置される偏光板及びＧＨセルからなる調光装置と比較すると、最大透過率は例えば約２倍になる。なお、最低透過率は両者で等しい。
【０１３７】
また、デジタルスチルカメラ等に実用化されている機械式アイリスを用いて、偏光板１１の出し入れが行われるので、調光装置は容易に実現可能となる。
【０１３８】
また、ＧＨセル１２を用いるので、偏光板１１による調光に加えて、ＧＨセル１２自体が光を吸収することにより、調光を行うことができる。
【０１３９】
このように、本発明に基づく調光装置は、明、暗のコントラスト比を高めると共に、光量分布をほぼ均一に保つことができるものとなる。
【０１４０】
なお、この実施の形態に用いられるＧＨセル１２として、液晶分子の誘電率異方性が負であるという条件下で、二色性染料分子がネガ型（ｎ型）のものを用いてもよい。
【０１４１】
なお、図２８に示した如き従来の調光装置では、偏光板１が常に光の有効光路中に固定されて設置されている。従って、偏光板によって例えば５０％の光は常に吸収され、また偏光板の表面反射等の影響もある。このため、偏光板を透過する光の最大透過率は、例えば５０％を超えることができず、光量低下が著しくなる。この光量低下は、液晶セルを用いた調光装置の実用化を困難にしている要因の一つになっている。
【０１４２】
一方、偏光板を使用しない種々の調光装置が提案されている。偏光板を使用しない調光装置の例として、２層のＧＨセルを用いる場合がある。このＧＨセルでは、１層目は、ある偏光と同一方向の偏光成分を吸収し、また２層目は、該偏光と直角方向の偏光成分を吸収する。また、コレステリック−ネマティック液晶セルの相転移を利用するものがある。さらには、液晶の散乱を利用する高分子散乱型のものがある。
【０１４３】
しかし、偏光板を使用しないこれらの調光装置では、電圧無印加時と電圧印加時の吸光度の比、即ち光学濃度の比は、前述したことから約５にしかならない。このため、調光装置のコントラスト比が小さく、明るい場所から暗い場所までにおいて、調光を正常に行うには不十分である。また、高分子散乱型の調光装置では、撮像光学系の結像性能が大幅に劣化する。
【０１４４】
しかも、用いる液晶系によっては、透明時の光透過率が暗くなることがあるため、このような光量で撮像する場合には、撮像光学系から調光装置を外す必要がある。
【０１４５】
これに対し、本実施の形態では、偏光板１１を用い、これを有効光路に対して出し入れ可能となしているので、光量を増大させ、コントラスト比を高めかつ光量を均一に保つことを可能とする。
【０１４６】
［カメラシステムの具体例］
図２５は、実施の形態による調光装置２３をＣＣＤ（Charge coupled device)カメラに組み込んだ例を示すものである。
【０１４７】
即ち、ＣＣＤカメラ５０において、一点鎖線で示す光軸に沿って、前記レンズ前群１５に相当する１群レンズ５１及び２群レンズ（ズーム用）５２、前記レンズ後群１６に相当する３群レンズ５３及び４群レンズ（フォーカス用）５４、ＣＣＤパッケージ５５が適宜の間隔をおいてこの順に配設されており、ＣＣＤパッケージ５５には赤外カットフィルタ５５ａ、光学ローパスフィルタ系５５ｂ、ＣＣＤ撮像素子５５ｃが収納されている。２群レンズ５２と３群レンズ５３との間には、３群レンズ５３寄りに、上記した本発明に基づくＧＨセル１２と偏光板１１からなる調光装置２３が光量調節（光量絞り）のために同じ光路上に取付けられている。なお、フォーカス用の４群レンズ５４は、リニアモータ５７により光路に沿って３群レンズ５３とＣＣＤパッケージ５５との間を移動可能に配設され、またズーム用の２群レンズ５２は、光路に沿って１群レンズ５１と調光装置２３との間を移動可能に配設されている。
【０１４８】
図２６には、このカメラシステムにおける調光装置２３による光透過率制御のシーケンスのアルゴリズムを示す。
【０１４９】
この実施の形態によると、２群レンズ５２と３群レンズ５３の間にセットされた本発明に基づく調光装置２３は、上述したように電界の印加によって光量を調節できるので、システムが小型化でき、実質的に光路の有効範囲の大きさまで小型化できる。従って、ＣＣＤカメラの小型化を達成することが可能である。また、パターン化された電極への印加電圧の大きさによって光量を適切に制御できるので、従来のような回折現象を防止し、撮像素子へ十分な光量を入射させ、像のぼやけをなくせる。
【０１５０】
［カメラシステムの駆動回路］
図２７は、上記のＣＣＤカメラの駆動回路ブロック図である。これによれば、調光装置２３の光出射側に配されたＣＣＤ撮像素子５５ｃの駆動回路部６０を有し、ＣＣＤ撮像素子５５ｃの出力信号がＹ／Ｃ信号処理部６１で処理され、輝度情報（Ｙ信号）としてＧＨセル駆動制御回路部６２にフィードバックされ、この制御回路部からの制御信号により、駆動回路部６０の基本クロックと同期して、上述した如くにパルス電圧又はパルス幅を例えば２段階に制御された駆動パルスがパルス発生回路部６３から得られるようになっている。制御回路部６２と、パルス発生回路部６３とで、パルス電圧又はパルス幅の段階的制御のためのＧＨ液晶駆動制御部６４が構成されている。
【０１５１】
なお、このカメラシステムとは別のシステムにおいても、調光装置２３の出射光をフォトディテクタ（又はフォトマル）で受け、ここから出射光の輝度情報を制御回路部６２へフィードバックし、ＧＨセル駆動回路部（図示せず）のクロックと同期して、パルス発生回路部からパルス電圧又はパルス幅が段階的に制御された駆動パルスを得ることができる。
【０１５２】
以上、本発明を好ましい実施の形態に従って説明したが、上述の実施の形態は、本発明の技術的思想に基づき種々に変形が可能である。
【０１５３】
例えば、上述した液晶素子や偏光板の構造や材質、その駆動機構、駆動回路や制御回路の構成などは種々に変更が可能である。また、駆動波形は矩形波、台形波、正弦波のいずれでも駆動可能であり、両電極間の電位差に応じて液晶の傾きが変化し、光透過率が制御される。
【０１５４】
また、ＧＨセルとして、上述したもの以外に、２層構造等のＧＨセルも使用可能である。偏光板１１のＧＨセル１２に対する位置は、レンズ前群１５とレンズ後群１６との間としたが、この配置に限らず、撮像レンズの設定条件から最適となる位置に配置されればよい。即ち、位相差フィルム等の偏光状態が変化する光学素子を用いない限り、偏光板１１は、例えば撮像面１７とレンズ後群１６との間等、被写体側又は撮像素子側の任意の位置に置くことができる。さらにまた、偏光板１１は、レンズ前群１５又はレンズ後群１６に代わる単一のレンズ（単レンズ）の前又は後に配置されてもよい。
【０１５５】
また、アイリス羽根１８、１９は２枚に限られず、より多くの枚数を用いることにしてもよいし、逆に１枚でもよい。また、アイリス羽根１８、１９は、上下方向に移動することにより重ねられるが、他の方向に移動してもよく、周囲から中央に向けて絞り込むことにしてもよい。
【０１５６】
また、偏光板１１は、アイリス羽根１８に貼付されているが、アイリス羽根１９の方に貼付されてもよい。
【０１５７】
また、被写体が明るくなるにつれて、先に偏光板１１の出し入れによる調光を行なった後、ＧＨセル１２による光の吸収を行なったが、逆に、先にＧＨセル１２の光吸収による調光を行なうことにしても良い。この場合、ＧＨセル１２の透過率が所定の値まで低下した後に、偏光板１１の出し入れによる調光を行なう。
【０１５８】
また、偏光板１１を有効光路２０から出し入れする手段として、機械式アイリスを用いたが、これに限られない。例えば、偏光板１１が貼付されたフィルムを駆動モーターに直接設置することにより、偏光板１１を出し入れしてもよい。
【０１５９】
また、上記の例では偏光板１１を有効光路２０に対し出し入れしたが、有効光路中に位置固定することも勿論可能である。
【０１６０】
また、本発明の調光装置は、公知の他のフィルター材（例えば、有機系のエレクトロクロミック材、液晶、エレクトロルミネッセンス材等）と組み合わせて用いることも可能である。
【０１６１】
更に、本発明の調光装置は、既述したＣＣＤカメラ等の撮像装置の光学絞り以外にも、各種光学系、例えば、電子写真複写機や光通信機器等の光量調節用としても広く適用が可能である。更に、本発明の調光装置は、光学フィルター以外に、キャラクターやイメージを表示する各種の画像表示素子に適用することができる。
【産業上の利用可能性】
【０１６２】
本発明は、入射光の光量を調節して出射するための調光装置、およびこれを用いた撮像装置並びにこれらの駆動方法に好適である。
【符号の説明】
【０１６３】
１、１１…偏光板、２、１２…ＧＨセル、３…ポジ型液晶、４…ポジ型染料分子、
５…入射光、１３…ネガ型液晶、１５、１６…レンズ群、１７…撮像面、
１８、１９…アイリス羽根、２０…有効光路、２２…開口部、２３…調光装置、
５０…ＣＣＤカメラ、５１…１群レンズ、５２…２群レンズ、５３…３群レンズ、
５４…４群レンズ、５５…ＣＣＤパッケージ、５５ｂ…光学ローパスフィルタ、
５５ｃ…ＣＣＤ撮像素子、６０…ＣＣＤ駆動回路部、６１…Ｙ／Ｃ信号処理部、
６２…制御回路部、６３…パルス発生回路部、
６４…パルス電圧又はパルス幅の段階的制御部（ＧＨ液晶駆動制御装置）
【図１】
2010148122.tif 000050
【図２】
2010148122.tif 000051
【図３】
2010148122.tif 000052
【図４】
2010148122.tif 000053
【図５】
2010148122.tif 000054
【図６】
2010148122.tif 000055
【図７】
2010148122.tif 000056
【図８】
2010148122.tif 000057
【図９】
2010148122.tif 000058
【図１０】
2010148122.tif 000059
【図１１】
2010148122.tif 000060
【図１２】
2010148122.tif 000061
【図１３】
2010148122.tif 000062
【図１４】
2010148122.tif 000063
【図１５】
2010148122.tif 000064
【図１６】
2010148122.tif 000065
【図１７】
2010148122.tif 000066
【図１８】
2010148122.tif 000067
【図１９】
2010148122.tif 000068
【図２０】
2010148122.tif 000069
【図２１】
2010148122.tif 000070
【図２２】
2010148122.tif 000071
【図２３】
2010148122.tif 000072
【図２４】
2010148122.tif 000073
【図２５】
2010148122.tif 000074
【図２６】
2010148122.tif 000075
【図２７】
2010148122.tif 000076
【図２８】
2010148122.tif 000077
【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
印加される駆動信号のパルス幅に応じた所定の光透過率となるようになされた液晶調光素子と、前記液晶調光素子に印加する駆動信号のパルス幅を変化させることにより前記液晶調光素子の光透過率を制御する制御手段とを備え、
前記制御手段は、
前記液晶調光素子の光透過率を第１の光透過率である状態から第２の光透過率である 状態に変化させるために、前記第２の光透過率である状態とするためのパルス幅の駆動 信号を印加する前に、前記液晶調光素子の光透過率を前記第１の光透過率及び前記第２ の光透過率とは異なる光透過率とするためのパルス幅の予備の駆動信号を、前記液晶調 光素子に印加する
ように構成されている調光装置。
【請求項２】
前記予備の駆動信号のパルス幅は、前記液晶調光素子の光透過率を前記第１の光透過率と前記第２の光透過率との間の光透過率である状態とするためのパルス幅である、請求項１に記載した調光装置。
【請求項３】
前記予備の駆動信号のパルス電圧は、前記液晶調光素子の光透過率を前記第２の光透過率である状態とするための駆動信号のパルス電圧である、請求項１に記載した調光装置。
【請求項４】
前記液晶調光素子はゲスト−ホスト型の液晶調光素子である、請求項１に記載した調光装置。
【請求項５】
前記液晶調光素子のホスト材料は、誘電率異方性が負又は正のネガ型又はポジ型液晶である、請求項４に記載した調光装置。
【請求項６】
前記液晶調光素子のゲスト材料は、光吸収異方性が正又は負のポジ型又はネガ型の二色性染料分子からなる、請求項４に記載した調光装置。
【請求項７】
請求項１〜６のいずれか１項に記載した調光装置が撮像系の光路中に配されている撮像装置。